(57)【特許請求の範囲】
【請求項１】
ふるい分けされるパルプがスクリーンシリンダの１表面に送給される、開口を備えたスクリーンシリンダ（７）と、ふるい分けされるパルプが送給される前記表面に近づいて前記スクリーンシリンダ（７）の軸のまわりに回転するブレード（１１；１１ａ〜１１ｃ）を有する、前記スクリーンシリンダの軸方向の一端からパルプがスクリーンに送給されかつその反対端から拒絶されたパルプの部分が放出されるパルプふるい分け装置において使用されるブレード装置であって、
前記ブレード（１１；１１ａ〜１１ｃ）が前記スクリーンシリンダ（７）に詰まらせられる材料を除去するための圧力の変化を作り出す部分を有し、
前記ブレード（１１；１１ａ〜１１ｃ）がその後方側で吸い込みパルスを作り出す傾斜部分（１１”）を含み、
前記傾斜部分（１１”）がふるい分けされたパルプの密度が低い前記ふるい分け装置の上方端で短くかつ急勾配であり、かつ対応して、ふるい分けされたパルプの密度が高いブレードの下方端で、吸い込みパルスを作り出す前記傾斜部分（１１”）がより長くかつ僅かに傾斜されるように、前記ブレード（１１；１１ａ〜１１ｃ）のスクリーンシリンダの軸方向における断面がパルプの密度に応じて変化することを特徴とするブレード装置。
【請求項２】
前記ブレードの断面がこのブレードの全長にわたって連続して変化することを特徴とする請求項１に記載のブレード装置。
【請求項３】
前記ブレードの断面が部分で変化することを特徴とする請求項１に記載のブレード装置。
【請求項４】
前記ブレードの断面が、１つのブレードの断面が長さにわたって変化せず、前記１つのブレードに続いて配置されるブレードの断面が前記１つのブレードの断面と異なることを特徴とする請求項１に記載のブレード装置。
【請求項５】
前記ブレードの少なくとも幾つかがスクリーンシリンダの軸方向の長さにわたって延びている１部片であることを特徴とする請求項１〜４のいずれか１項に記載のブレード装置。
【請求項６】
それぞれ異なる断面を備えたブレードが、前記スクリーンシリンダ（７）の軸方向に連続して配置されることを特徴とする請求項５に記載のブレード装置。
【請求項７】
長さにわたって同一形状の断面を有する前記ブレードのそれぞれが互いに異なる断面を有し、前記ブレードは前記スクリーンの垂直方向における前記スクリーンシリンダ（７）の軸方向において連続する点で配置されることを特徴とする請求項４に記載のブレード装置。
【請求項８】
前記ブレード（１１ａ〜１１ｃ）の少なくとも１つが、他のブレードに対して前記スクリーンシリンダ（７）の周部の方向における異なる点に配置されることを特徴とする請求項５に記載のブレード装置。
【請求項９】
前記ブレード長さの１部分の断面が連続して変化しかつ前記ブレード長さの１部分の断面が変化しないことを特徴とする請求項３に記載のブレード装置。
【発明の詳細な説明】
〔発明の属する技術分野〕
本発明は、ふるい分けされるべきパルプがスクリーンシリンダの１表面に送給される、開口を備えたスクリーンシリンダ、およびふるい分けされるべきパルプが送給される表面に近づいてスクリーンシリンダの軸のまわりに回転するブレードからなっており、そしてこれらのブレードがスクリーンシリンダ装置に詰まらせられる材料を除去するための圧力の変化を作り出す部分からなっており、そしてこのふるい分け装置においてパルプが一端からスクリーン（ふるい）に送給されかつ拒絶されたパルプの部分がスクリーンシリンダの軸方向の反対端から放出される、ブレード装置に関する。
〔従来の技術〕
パルプがふるい分けされるとき、繊維および水から構成されるパルプ懸濁液が、種々の形状の開口またはスリットのごとき開口を備えたスクリーンシリンダ、およびこのスクリーンシリンダ内のブレードからなっているスクリーンに送給され、ブレードはシリンダの内面に沿ってスクリーンシリンダの軸のまわりに回転している。幾つかの場合において、パルプをスクリーンへ送給する方法において依存して、また、スクリーンシリンダの外面に沿って回転するブレードがある。
ブレードの目的は、ふるい分けされる材料からスクリーンシリンダの内面または対応して、外面を清浄に維持し、かつ他方で、さらにふるい分け過程に運ばれるように表面に既に蓄積された繊維材料を除去することにある。幾つかの場合に、回転するブレードの代わりに、回転スクリーンシリンダが使用され、それによりクリーニングが固定ブレードを通るスクリーンシリンダの運動によって達成される。最近、スクリーンの軸方向において幾つかの連続スクリーンシリンダからなっている種々の多段スクリーンがさらに使用されている。スクリーンシリンダの表面を清浄にするために、各スクリーンシリンダごとの別個のブレードまたはふるい分け表面全体にわたって延びている１部片からなるブレードがまた使用されている。
〔発明が解決しようとする課題〕
スクリーンにおいて、パルプは、代表的には、スクリーンの高さ全体にわたってふるい分けされ、それにより繊維および水の１部分はスクリーンシリンダの開口を通って流れる。ふるい分けが進むと、すなわち、パルプがスクリーンの垂直方向に下方に流れるとき、より多くの水が最初にパルプ懸濁液中の水の量に比例してスクリーンシリンダを通り抜ける。問題は、この結果として、パルプ濃度が増加するので生起し、また、スクリーンの表面上の繊維の蓄積が増加し、かくしてスクリーン作動および透過性を損なう。
〔課題を解決するための手段〕
本発明の目的は、スクリーン表面が以前より効率的に垂直方向にスクリーンの高さ全体にわたって清浄に維持され得るブレード装置を提供することにある。本発明のブレード装置は、このブレード装置において、ふるい分け装置の垂直方向におけるブレードの断面が、ブレードがその後方側で吸い込みパルスを作り出す傾斜部分からなるようにふるい分けされるパルプの密度に応じて変化し、前記傾斜部分がふるい分けされたパルプの密度が低いふるい分け装置の上方端で短くかつ急勾配でありかつ対応して、ふるい分けされたパルプの密度が高いブレードの下方端で、吸い込みパルスを作り出す傾斜部分がより長くかつ僅かに傾斜されることによって特徴付けられる。
本発明の必須の概念は、スクリーンの軸方向においてパルプの入口端から拒絶の放出端に向かって動くとき、ブレードの断面、または軸方向の連続する個々のブレード部材の断面が、スクリーンシリンダの表面のクリーニングの断面の作用が前記点によってパルプ濃度に関連してできるだけ適切であるように変化するということである。このことは、ブレードの断面がその全長にわたって適切に変化し得るか、または各連続ブレード部材が使用されるとき、断面により平均濃度に関連して各連続ブレード部材の断面を好ましく決定することにより変化し得ることを意味する。本発明の利点は、ブレードの後方縁部の傾斜部分によって作られた吸い込みパルスの作用、または各ふるい分け表面に近接して動くその部分が前記ふるい分け表面によってパルプ濃度にしたがって平均に最適化され得るのでスクリーンのふるい分け表面が好ましくは以前より効率的に清浄に維持され得るということである。さらに、本発明の解決は、とくに、各ブレードの断面が変化せずしかもその作動範囲内でパルプ濃度に関連して適切である解決において実行するのに低コストかつ容易である。好適な実施例によれば、装置の作動および構造に関して、同一スクリーンの垂直方向においてスクリーンシリンダの表面に関連するその断面および位置ができるだけ適切である幾つかの連続するブレード部材が存在し得る。変化しない断面を有するかかるブレードを製造することは容易かつ低コストであり、かくして比較的低コストで良好な効率を提供する。
本発明を添付図面においてより詳細に説明する。
〔発明の実施の形態〕
第１図はパルプふるい分けに適しかつそれに本発明のブレード装置が応用され得るスクリーンを略示している。
スクリーンはカバー２を備えたハウジング１を含んでいる本体からなっている。ハウジング１の内部にはそれと同軸にモータ（図示せず）によってそれ自体公知の方法において回転させられる、回転ロータ３が配置されている。円錐状の内方ハウジング４がロッド５によりロータ３に固定されている。さらに、板形状ブレード６がパルプをスクリーン内部で回転させるためにロータに固定されている。
スクリーンはスクリーンシリンダ７およびその外側でリング形状排出室８、それから分岐している受容排出導管９からなっている。ブレード１１がスクリーンシリンダ７までロッド１０によって収納しているロータ３に固定され、ブレードは、ロータ３がそれ自体公知の方法において回転しかつパルスによってスクリーンシリンダ７の内面に対して押圧された材料を除去するときスクリーンシリンダ７の内面に沿って回転している。パルプはスクリーンのカバー２の入口導管１２を経由してスクリーンの上方部に送給されそしてパルブはスクリーンシリンダ７および内方ハウジング４によって形成される下方に向かって狭いリング形状の空間に沿って下方に図に示される場合に流れる。パルプはスクリーンシリンダ７によってふるい分けされ、そこからスクリーンを貫通したパルプは排出室８に入りかつ次いで排出導管９を経由して放出される。スクリーン７を貫通しなかったパルプは下方に向かって流れる。ふるい分け後、残りの不良品がリング形状の不良品室１３およびこれさ連係しかつスクリーンシリンダ７の下に配置される不良品導管１４を経由して放出される。
パルプがスクリーンの垂直方向に下方に向かって流れるとき、その密度が変化し、その結果、例えば、約１％の固形材料を含んでいるパルプがスクリーンの上方部に送給されるとき、それから放出された受容されたパルプ部分は約０．６％の濃度を有している。したがって、パルプ繊維より比例してより多い水がスクリーンシリンダを貫通するので、スクリーンの下方端において不良品排出での濃度は例えば約２．６％である。これらの値は使用されるスクリーンおよびパルプの型によって変化するが、スクリーン中の濃度の変化は代表的には上述されたように引き起こされる。本発明によれば、ブレード１１の断面は頂部から下方に向かって変化し、ブレードの上方部分の断面をスクリーンに送給された多くの希釈パルプに関連して効果的に作動することを可能にしかつ、対応して、下方に向かって動くとき、パルプ濃度は増加しかつブレードの断面はスクリーンシリンダ７の表面に蓄積された材料をその表面から離れて遠くへ動かさせるより強力な吸い込みパルスを作り出すために変化しかつしたがってスクリーンシリンダの表面上の開口をより効果的にクリーニングする。したがって、パルプ濃度が増加しかつスクリーンシリンダが塞がれる危険が増加するので、ブレードの断面はスクリーンシリンダ７の表面をより効果的に清浄に維持してスクリーンの高さ全体にわたってふるい分け能力および容量を良好に維持することができる。
第２ａ図および第２ｂ図は本発明のブレード装置の実施に応用され得るブレード１１の斜視上面図を示している。ブレード輪郭の断面は、パルプ濃度が低いブレードの断面において、スクリーンシリンダ表面１５側の部分１１’がより広くかつ対応して、ブレードの後方側の傾斜部分１１”、すなわち、吸い込みパルスを作り出している、走行方向Ａに対して後部に配置される部分は急勾配でかつ短いようにブレードにおいて変化する。対応して、濃度がより高い下方端において、スクリーンシリンダ側の部分１１’は短くかつ吸い込みパルスを作り出している傾斜部分１１”は長くそして上方端で部分１１’より強力な吸い込みパルスを作り出すために僅かに傾斜されている。この場合に、ブレードの作動特性はスクリーンシリンダの垂直方向に変化されることができ、その結果濃度が変化するとき、スクリーンシリンダの表面は清浄に維持されることができそしてスクリーンのふるい分け能力および容量は良好に維持され得る。鎖線によって描かれた縁部（見ることができない）の部分はブレードの下方端の形状を略示している。
第３図はその断面が不連続に変化するブレードを示している。この実施において、上方部分の断面、かつ対応して、ブレードの下方部分は、例えば、第２ａ図および第２ｂ図に示されたブレードの下方部分に対応している。しかしながら、この実施例において、ブレードの上方部分の断面のみが高さＨ1で連続的に変化し、かつ対応して、より高い濃度によって作動するブレードＨ2の下方部分の断面は実質上変化しない。寸法および断面に関連して、ブレードの作動は第２ａ図および第２ｂ図に示されたブレードの原理と同一の原理により設計された。第２図におけるように、縁部（見ることができない）を示している鎖線がブレードの下方端の形状を示している。
第４図は第１図のスクリーンに対応するスクリーンの部分概略断面図であり、そして同様な番号は同様な部分を示している。この実施例の差異は、この実施例が前記スクリーンシリンダを清浄に維持する個々の連続するブレード１１ａ〜１１ｃからなっているということである。ブレード装置のこの実施例において、各スクリーンシリンダブレードの断面が第１図におけるように連続的に変化しているか、または、代替的に、各ブレードの断面がその長さにわたって変化しないが、連続するブレードの断面が高さにおいて変化する解決が使用される。
第５ａ図〜第５ｃ図は第４図に記載されたように応用され得るブレード装置の実施例を示している。これらの図はスクリーンブレード１１ａ〜１１ｃの断面が互いにどのように異なるかを示している。第５ａ図に示されるブレード１１ａの断面が第２ａ図および第２ｂ図に示されたブレード１１の上方端に原理において対応することが認められ得る。第５ｂ図は、順次、中間のブレード１１ｂの断面を示し、そして図から認められ得ることは、第２ａ図および第２ｂ図に示されたブレードの中間の断面に類似しているということである。対応して、第５ｃ図に示されるブレード１１ｃは第２ａ図および第２ｂ図に示したブレードの下方端の断面に実質上対応している。この方法において実施されたブレード装置の断面は、各ブレードによりパルプ濃度にしたがってできるだけ良好に作動するようにスクリーンの垂直方向に変化する。
本発明は上記説明および図面において例としてのみ記載され、そしてそれにいずれにしても限定されない。ブレード装置において必須であることは、ブレードの断面が、スクリーンの上方部で、ブレードの断面がスクリーンに入っている希釈パルプに関連して好ましく作動し、かつ対応して、スクリーンの下方端で、ブレードの断面がより多くの着実なパルプに関連して効率的に作動するようにスクリーンの垂直方向に変化する。例はスクリーンシリンダ内で回転しているブレードを備えたスクリーンを説明しているけれども、ブレードが対応する方法においてシリンダの外側で回転するように配置され、その場合にふるい分けされるパルプがスクリーンシリンダの外面に送給されることは当該技術に熟練した者には明らかである。その場合に、ブレードの断面が設計されるとき、精密に、同一の原理が本発明の方法にしたがってスクリーンシリンダの内面に沿って設計されたブレードを示している例に示されるように応用される。
【図面の簡単な説明】
第１図は本発明のブレード装置がそれに応用され得るスクリーンを示している概略図、
第２ａ図および第２ｂ図は本発明のブレード装置に応用され得るブレード輪郭を略示している斜視上面図、
第３図は本発明のブレード装置の実施に応用され得る第２のブレード輪郭を示す概略斜視図、
第４図は第１図のスクリーンに対応するスクリーンの部分概略断面図、そして第５ａ図〜第５ｃ図は第４図に示された方法において使用され得る本発明のブレード装置の実施例を示す概略図である。
【図１】
0004124828.tif 000002
【図４】
0004124828.tif 000003
【図２ａ】
0004124828.tif 000004
【図２ｂ】
0004124828.tif 000005
【図３】
0004124828.tif 000006
【図５ａ】
0004124828.tif 000007
【図５ｂ】
0004124828.tif 000008
【図５ｃ】
0004124828.tif 000009